【手続補正書】
【提出日】平成15年12月9日(2003.12.9)
【手続補正１】
【補正対象書類名】明細書
【補正対象項目名】発明の名称
【補正方法】変更
【補正の内容】
【発明の名称】画像読取装置及び画像形成装置並びに画像読取方法
【手続補正２】
【補正対象書類名】明細書
【補正対象項目名】特許請求の範囲
【補正方法】変更
【補正の内容】
【特許請求の範囲】
【請求項１】
原稿を照射する光源手段と、
前記光源手段を移動させるための駆動手段と、
該光源手段により照射された前記原稿からの光を入射させて前記原稿の画像情報を読取る光電変換手段と、
前記光電変換手段による原稿の画像読取終了後の所定時間の間、前記駆動手段を通電状態に保つように制御する制御手段と、
を備えたことを特徴とする画像読取装置。
【請求項２】
前記制御手段は、前記駆動手段により前記光源手段を移動させることでホームポジションサーチを行って前記光源手段の位置を初期化する位置出しを行った後に原稿画像の読取動作を行うよう制御し、前記所定時間内に次の画像読取命令があった場合には、前記位置出しを行わずに次の画像読取動作を実行することを特徴とする請求項１に記載の画像読取装置。
【請求項３】
前記制御手段は、前記光電変換手段の出力を補正するシェーディング補正を行った後に原稿画像の読取動作を行うよう制御し、前記所定時間内に次の画像読取命令があった場合には、前記シェーディング補正を行わずに次の画像読取動作を実行することを特徴とする請求項１または２に記載の画像読取装置。
【請求項４】
前記制御手段は、前記所定時間が経過した場合には、前記位置出しにより初期化されたホームポジション位置に前記光源手段を位置させるように前記駆動手段を制御することを特徴とする請求項２に記載の画像読取装置。
【請求項５】
前記制御手段は、前記所定時間が経過した場合には、前記駆動手段の通電をオフすることを特徴とする請求項１乃至４のいずれか１項に記載の画像読取装置。
【請求項６】
前記制御手段は、前記所定時間の間の前記駆動手段の通電電力を最小電力に設定することを特徴とする請求項１乃至５のいずれか１項に記載の画像読取装置。
【請求項７】
前記所定時間を設定する時間設定手段を備えることを特徴とする請求項１乃至６のいずれか１項に記載の画像読取装置。
【請求項８】
請求項１乃至７のいずれか１項に記載の画像読取装置と、該画像読取装置により読み取られた画像情報をシートに記録する画像形成手段と、を備えることを特徴とする画像形成装置。
【請求項９】
原稿を照射する光源手段と、前記光源手段を移動させるための駆動手段と、該光源手段により照射された前記原稿からの光を入射させて前記原稿の画像情報を読取る光電変換手段とを備えた画像読取装置を用いた画像読取方法であって、
前記光電変換手段による原稿の画像読取終了後の所定時間の間、前記駆動手段を通電状態に保つように制御することを特徴とする画像読取方法。
【手続補正３】
【補正対象書類名】明細書
【補正対象項目名】０００１
【補正方法】変更
【補正の内容】
【０００１】
【発明の属する技術分野】
本発明は、例えば、スキャナ、複写機、プリンタ、あるいは、ファクシミリ装置などの、原稿の画像を読み取ったり、シート上に画像を形成する、画像読取装置や画像形成装置、及び、画像読取方法に関するものである。


【手続補正４】
【補正対象書類名】明細書
【補正対象項目名】０００６
【補正方法】変更
【補正の内容】
【０００６】
本発明は上記の従来技術の課題を解決するためになされたもので、その目的とするところは、別々のジョブにて連続した原稿読み込み動作時には、製品仕様であるＦＣＯＴ以上のパフォーマンスを達成した画像読取装置及び画像形成装置及び画像読取方法を提供することにある。


【手続補正５】
【補正対象書類名】明細書
【補正対象項目名】０００７
【補正方法】変更
【補正の内容】
【０００７】
【課題を解決するための手段】
上記目的を達成するために本発明にあっては、
原稿を照射する光源手段と、
前記光源手段を移動させるための駆動手段と、
該光源手段により照射された前記原稿からの光を入射させて前記原稿の画像情報を読取る光電変換手段と、
前記光電変換手段による原稿の画像読取終了後の所定時間の間、前記駆動手段を通電状態に保つように制御する制御手段と、
を備えたことを特徴とする。


【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
前記制御手段は、前記駆動手段により前記光源手段を移動させることでホームポジションサーチを行って前記光源手段の位置を初期化する位置出しを行った後に原稿画像の読取動作を行うよう制御し、前記所定時間内に次の画像読取命令があった場合には、前記位置出しを行わずに次の画像読取動作を実行することも好適である。


【手続補正８】
【補正対象書類名】明細書
【補正対象項目名】００１０
【補正方法】変更
【補正の内容】
【００１０】
前記制御手段は、前記光電変換手段の出力を補正するシェーディング補正を行った後に原稿画像の読取動作を行うよう制御し、前記所定時間内に次の画像読取命令があった場合には、前記シェーディング補正を行わずに次の画像読取動作を実行することを特徴とする請求項１または２に記載の画像読取装置。


【手続補正９】
【補正対象書類名】明細書
【補正対象項目名】００１１
【補正方法】変更
【補正の内容】
【００１１】
前記制御手段は、前記所定時間が経過した場合には、前記位置出しにより初期化されたホームポジション位置に前記光源手段を位置させるように前記駆動手段を制御することも好適である。


【手続補正１０】
【補正対象書類名】明細書
【補正対象項目名】００１２
【補正方法】変更
【補正の内容】
【００１２】
前記制御手段は、前記所定時間が経過した場合には、前記駆動手段の通電をオフすることも好適である。


【手続補正１１】
【補正対象書類名】明細書
【補正対象項目名】００１３
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
画像形成装置にあっては、上記記載の画像読取装置と、該画像読取装置により読み取られた画像情報をシートに記録する画像形成手段と、を備えることを特徴とする。
また、画像読取方法においては、原稿を照射する光源手段と、前記光源手段を移動させるための駆動手段と、該光源手段により照射された前記原稿からの光を入射させて前記原稿の画像情報を読取る光電変換手段とを備えた画像読取装置を用いた画像読取方法であって、
前記光電変換手段による原稿の画像読取終了後の所定時間の間、前記駆動手段を通電状態に保つように制御することを特徴とする。
【手続補正１４】
【補正対象書類名】明細書
【補正対象項目名】００６０
【補正方法】変更
【補正の内容】
【００６０】
【発明の効果】
以上説明したように、本発明によれば、制御手段は、原稿の画像読取動作終了後の所定時間の間、駆動手段を通電状態に保つように制御することにより、別々のジョブでの連続した原稿読取動作を行う場合に、駆動手段はオフすることはないので、すぐに原稿の読取動作に入ることができ、作業性を向上させることができる。


【手続補正１５】
【補正対象書類名】明細書
【補正対象項目名】００６１
【補正方法】削除
【補正の内容】
【手続補正１６】
【補正対象書類名】明細書
【補正対象項目名】００６２
【補正方法】削除
【補正の内容】